(57)【要約】【課題】最終段階の検証のみで、初めての使用であるか否かを判断できる注射器タイプの容器を提供することである。【解決手段】容器本体と、前記容器本体の開口部を閉鎖するキャップ体とを具備してなる容器であって、  前記キャップ体は、キャップ本体部とピストンロッド体とを具備し、  前記キャップ本体部と前記ピストンロッド体とは、薄肉部を介して、一体的に連結されてなる。【選択図】図１
2012016442.tif 000002
【特許請求の範囲】
【請求項１】
容器本体と、前記容器本体の開口部を閉鎖するキャップ体とを具備してなる容器であって、
前記キャップ体は、キャップ本体部とピストンロッド体とを具備し、
前記キャップ本体部と前記ピストンロッド体とは、薄肉部を介して、一体的に連結されてなる
ことを特徴とする容器。
【請求項２】
容器本体は、ピストンロッド体が摺接する筒状部を具備する
ことを特徴とする請求項１の容器。
【請求項３】
ピストンロッド体は、容器本体内壁に摺接する摺接部を具備する
ことを特徴とする請求項１又は請求項２の容器。
【請求項４】
キャップ本体部とピストンロッド体との連結薄肉部の位置は、該ピストンロッド体と容器本体との摺接部位置よりも後方側の位置である
ことを特徴とする請求項１〜請求項３いずれかの容器。
【請求項５】
連結薄肉部にはスリットが設けられてなる
ことを特徴とする請求項１〜請求項４いずれかの容器。
【請求項６】
連結薄肉部の内形は、ピストンロッド体が進入する容器本体の内形より小さく構成されてなる
ことを特徴とする請求項１〜請求項５いずれかの容器。
【請求項７】
ピストンロッド体の先端側には外側に拡開状の壁が設けられてなり、
前記壁が容器本体の内壁に摺接し得るよう構成されてなる
ことを特徴とする請求項１〜請求項６いずれかの容器。
【請求項８】
壁がピストンロッド体と一体的に構成されている
ことを特徴とする請求項７の容器。
【請求項９】
壁がピストンロッド体とは別体に構成されている
ことを特徴とする請求項７の容器。
【請求項１０】
キャップ本体部とピストンロッド体との連結薄肉部が切断されない状態において、ピストンロッド体の先端部が容器本体の内壁に摺接しているよう構成されてなる
ことを特徴とする請求項１〜請求項９いずれかの容器。
【請求項１１】
キャップ体は容器本体に対して着脱可能に構成されてなる
ことを特徴とする請求項１〜請求項１０いずれかの容器。
【請求項１２】
容器本体はキャップ体が配される側とは反対側に凸部を具備してなり、
前記凸部は内部に穴を有し、
前記穴が存する位置における前記凸部には薄肉部が形成されており、
前記薄肉部において前記凸部が切られた場合、前記穴が貫通孔となる
ことを特徴とする請求項１〜請求項１１いずれかの容器。
【発明の詳細な説明】
【技術分野】
【０００１】
本発明は容器に関する。
【背景技術】
【０００２】
注射器型の容器が、薬剤の注入とか充填に際して用いられている。例えば、薬液を体内に注入するに際して、注射器が用いられる。この注射器は、注射針と、注射器本体と、注射器本体内の薬液を先端から押し出す為のピストンロッド体とからなっている。
【先行技術文献】
【特許文献】
【０００３】
【特許文献１】特開２０１０−１２５１６２号公報
【発明の概要】
【発明が解決しようとする課題】
【０００４】
注射器の再使用が指摘されている。
ところで、その注射器が、初めての使用であるのか、それとも、２回目以降の繰り返しての使用であるかは、その注射器を初めて手にした使用者には判り難い。
初めての使用であるか、それとも２回目以降の使用であるかが、使用者には判り難い故に、繰り返しての再使用と言う問題が起きる。すなわち、注射を行う医者などが注射器再使用の問題に注意していても、予め用意された薬液充填注射器を初めて目にした段階では、注射器が２回目以降の使用であるか否かは判らない。
【０００５】
このようなことから、本願発明者は、準備段階（例えば、薬液充填段階）を一つ一つ検証しなくても、最終段階（注射直前段階）の検証のみで、その注射器の使用が初めてであるか否かが判れば非常に好都合であろうと考えるに至った。
【０００６】
従って、本発明が解決しようとする課題は、最終段階の検証のみで、初めての使用であるか否かを判断できる注射器タイプの容器を提供することである。
【課題を解決するための手段】
【０００７】
前記の課題は、
容器本体と、前記容器本体の開口部を閉鎖するキャップ体とを具備してなる容器であって、
前記キャップ体は、キャップ本体部とピストンロッド体とを具備し、
前記キャップ本体部と前記ピストンロッド体とは、薄肉部を介して、一体的に連結されてなる
ことを特徴とする容器によって解決される。
【０００８】
好ましくは、容器本体はピストンロッド体が摺接する筒状部を具備することを特徴とする上記容器によって解決される。
【０００９】
好ましくは、ピストンロッド体は容器本体内壁に摺接する摺接部を具備することを特徴とする上記容器によって解決される。
【００１０】
好ましくは、キャップ本体部とピストンロッド体との連結薄肉部の位置が、該ピストンロッド体と容器本体との摺接部位置よりも後方側の位置であることを特徴とする上記容器によって解決される。
【００１１】
好ましくは、連結薄肉部にはスリットが設けられてなることを特徴とする上記容器によって解決される。
【００１２】
好ましくは、連結薄肉部の内形は、ピストンロッド体が進入する容器本体の内形より小さく構成されてなることを特徴とする上記容器によって解決される。
【００１３】
好ましくは、ピストンロッド体の先端側には外側に拡開状の壁が設けられてなり、前記壁が容器本体の内壁に摺接し得るよう構成されてなることを特徴とする上記容器によって解決される。
【００１４】
好ましくは、キャップ本体部とピストンロッド体との連結薄肉部が切断されない状態において、ピストンロッド体の先端部が容器本体の内壁に摺接しているよう構成されてなることを特徴とする上記容器によって解決される。
【００１５】
好ましくは、キャップ体は容器本体に対して着脱可能に構成されてなることを特徴とする上記容器によって解決される。
【００１６】
好ましくは、容器本体はキャップ体が配される側とは反対側に凸部を具備してなり、前記凸部は内部に穴を有し、前記穴が存する位置における前記凸部には薄肉部が形成されており、前記薄肉部において前記凸部が切られた場合、前記穴が貫通孔となることを特徴とする上記容器によって解決される。
【発明の効果】
【００１７】
容器本体内に充填された液体とか粘調体などの流体は、ピストンロッド体の作動によって、容器本体外に押出される。この押出（排出）に際しては、ピストンロッド体はキャップ本体部から分離（切断）される必要が有る。従って、ピストンロッド体がキャップ本体部から分離（切断）されているか否かをチェックすることで、容器が初めての使用であるのか否かの判定が出来る。
【００１８】
ピストンロッド体がキャップ本体部から分離される為には、薄肉部の切断が必要である。この切断には物理的な力が多少とも必要である。従って、使用に際しての感触で以って、ピストンロッド体のキャップ本体部からの分離（切断）がされたか否かの判断できる。このことは非常に好都合である。
【図面の簡単な説明】
【００１９】
【図１】キャップ本体部とピストンロッド体とが分離（切断）前段階での本発明になる容器の断面図
【図２】キャップ本体部からピストンロッド体とが分離（切断）され、ピストンロッド体が多少なりとも押し込まれた段階での本発明になる容器の断面図
【発明を実施するための形態】
【００２０】
本発明は容器である。特に、注射器型の容器（薬液などの流体を注射する時に使用する注射器の如く、注射針が絶対に必要と言うものでは無い。勿論、注射針を具備するタイプのものであっても良い。）である。本容器は、容器本体と、前記容器本体の開口部を閉鎖するキャップ体とを具備する。前記キャップ体は、キャップ本体部と、ピストンロッド体とを具備する。前記キャップ本体部と前記ピストンロッド体とは、薄肉部を介して、一体的に連結されている。この構成によれば、容器本体内に充填された流体（液体、流動体、薬液、剤）は、ピストンロッド体の作動（ピストンロッド体の押し込み）によって、容器本体外に押出される。例えば、容器本体の先端部に形成された開口（孔）から押出される。この押出に際して、ピストンロッド体は、先ず、キャップ本体部から分離（切断）されなければならない。従って、ピストンロッド体がキャップ本体部から分離（切断）されているか否かのチェックで、容器が初めての使用であるのか否かの判定が出来る。ピストンロッド体のキャップ本体部からの分離には、連結薄肉部の切断が必要である。この切断には物理的な力が必要である。従って、使用に際しての感触（連結薄肉部の切断（ピストンロッド体の押込）に多目の力が掛ったか否かの感触）で以って、ピストンロッド体のキャップ本体部からの分離（切断）が判断できる。このことは非常に好都合である。
【００２１】
本発明の容器は、その容器本体が、好ましくは、ピストンロッド体が摺接する筒状部を具備する。例えば、キャップ本体部とピストンロッド体との連結薄肉部が切断されて該ピストンロッド体が容器本体内に押し込まれた（例えば、更に押し込まれた）際、容器本体は該ピストンロッド体が摺接する筒状部を具備する。このように構成させた場合、充填されている流体は容器本体外に特に効率よく押し出される。本発明の容器は、そのピストンロッド体が、好ましくは、容器本体内壁に摺接する摺接部を具備する。例えば、キャップ本体部とピストンロッド体との連結薄肉部が切断されて該ピストンロッド体が容器本体内に押し込まれた（例えば、更に押し込まれた）際、ピストンロッド体（例えば、ピストンロッド体の先端部）が該容器本体（例えば、筒状部）の内壁に摺接する摺接部を具備する。このように構成させた場合、充填されている流体は容器本体外に特に効率よく押し出される。特に好ましくは、容器本体が筒状部を具備し、ピストンロッド体が前記筒状部の内壁に摺接する摺接部を先端に具備する場合である。
【００２２】
本発明の容器は、好ましくは、キャップ本体部とピストンロッド体との連結薄肉部の位置が、該ピストンロッド体と容器本体との摺接部位置よりも後方側の位置である。例えば、キャップ本体部とピストンロッド体との連結薄肉部が切断されて該ピストンロッド体が容器本体内に押し込まれた（例えば、更に押し込まれた）際、該連結薄肉部が、該容器本体の内壁に摺接する該ピストンロッド体の先端部よりも後方側の位置に設けられている。キャップ本体部とピストンロッド体との連結薄肉部の切断は、一般的には、鋭利なナイフを用いて行われるものでは無い。連結薄肉部の切断形態は、通常、押し切られる、或いは捻じ切られる、又は引き千切られると言った形態である。そうすると、切断部には凸凹（ギザギザ）が生ずる。この凸凹がピストンロッド体の先端部に出来てしまうと、流体の押出効率が低下する。或いは、場合によっては、切断によって生じた切屑が液の中に入り込んでしまう恐れも考えられる。しかしながら、連結薄肉部が、該容器本体の内壁に摺接する摺接部（例えば、該ピストンロッド体の先端部）よりも後方側の位置に設けられておれば、前記恐れが大幅に改善される。例えば、切屑が出来ても、ピストンロッド体の先端部が容器本体（筒状部）の内壁に摺接しているから、切屑が薬液の側に入り込むことが無い。
【００２３】
本発明の容器は、好ましくは、連結薄肉部にはスリット（本明細書において、スリットは孔の概念も含む。）が設けられている。これによって、連結薄肉部の切断（分離）が容易になる。連結薄肉部にスリットが設けられていても、容器本体はピストンロッド体によって栓をされているかの如くになっている。すなわち、ピストンロッド体の連結薄肉部よりも前方に位置する箇所が容器本体に摺接していることから、この摺接箇所において恰も栓をされているかの如くになっている。従って、容器本体内に充填された薬液が前記スリットから漏れると言った恐れは無い。
【００２４】
本発明の容器は、好ましくは、連結薄肉部の内形は、ピストンロッド体（ピストンロッド体の摺接部（例えば、先端摺接部））が進入する容器本体の内形より小さく構成されている。連結薄肉部の切断（分離）は鋭利なナイフで行われるものではないことから、上述の通り、切断部には凸凹（ギザギザ）が生ずる。この凸凹（ギザギザ）が出来ても、この切断箇所のピストンロッド体の大きさは容器本体（例えば、筒状部）の内形より小さい。従って、前記凹凸が容器本体（例えば、筒状部）の内壁に強く擦れるようなことは起きない。よって、ピストンロッド体の動きがスムーズである。
【００２５】
本発明の容器は、好ましくは、ピストンロッド体の先端側には外側に拡開状の壁が設けられている。そして、前記壁が容器本体の内壁に摺接し得るよう構成されている。特に、前記壁の周側面が容器本体の内壁に摺接し得るよう構成されている。斯くの如く構成させることによって、充填されている薬液の押し出し効果が高い。尚、前記壁は前記ピストンロッド体と一体的に構成される。勿論、前記壁と前記ピストンロッド体とを別々に構成させても良い。この場合は、前記壁は前記ピストンロッド体の前方側に配置されるのみである。
【００２６】
本発明の容器は、好ましくは、キャップ本体部とピストンロッド体との連結薄肉部が切断されない状態において、ピストンロッド体の先端部が容器本体（筒状部）の内壁に摺接しているよう構成されている。斯くの如く構成させた場合、ピストンロッド体の先端部は容器本体（筒状部）の内壁によって、ピストンロッド体の進行方向が規制（誘導）されていることから、ピストンロッド体の動作がスムーズである。
【００２７】
本発明の容器は、好ましくは、キャップ体は容器本体に対して着脱可能に構成されている。斯くの如く構成させた場合、キャップ体を取り外せば、容器本体には大きな口径の開口が出来る。従って、この大きな口径の開口から薬液を容器本体内に充填できるので、好都合である。
【００２８】
以下、本発明を更に具体的に説明する。
図１は、容器本体内に充填された薬液がピストンロッドで押し出される前段階の状態における本発明になる容器の断面図である。図２は、容器本体内に充填された薬液がピストンロッドで押し出され始めた後段階の状態における本発明になる容器の断面図である。
【００２９】
各図中、１は容器本体である。容器本体１は、例えば樹脂を用いて成型されたものである。勿論、樹脂では無く、ガラス製であっても良い。その他の素材で構成されていても良い。容器本体１は、筒状部２を有する。この筒状部２は、図１，２からも判る通り、後端側に大径部２ａを有する。この大径部２ａの前方側（図１，２中、右側）に、前記大径部より径が小さいけれども、長さが長い筒状部２ｂを有する。容器本体１は先端部３が凸状に構成されている。この凸状先端部３の中央には、小径の穴（先端側が塞がれている穴）４が設けられている。凸状先端部３の先端側３ａには薄肉部３ｂが形成されている。そして、この薄肉部３ｂが千切られることによって、上記穴４は先端側が開口の貫通孔となり、この貫通孔を介して容器本体１内の流体が押し出されるようになる。容器本体１の後端は開口状に形成されている。この開口状後端部５の口径は貫通孔４の口径に比べたならば遥かに大きい。この開口状後端部５の周囲にはフランジ状または断面が階段状のリブ部６が設けられている。
【００３０】
１０はキャップ体である。キャップ体１０は、キャップ本体部１１と、ピストンロッド体１２とを有する。キャップ本体部１１とピストンロッド体１２とは、薄肉部１３で一体的に連結されている。薄肉部１３は、ピストンロッド体１２の周囲に沿って設けられている。この薄肉部１３には、適宜な長さのスリット（孔：切欠部）が適宜な数だけ形成されている。すなわち、キャップ本体部１１とピストンロッド体１２とは、ピストンロッド体１２の全周に亘って、薄肉部１３を介して、繋がっているものでは無い。例えば、０°の位置近傍、９０°の位置近傍、１８０°の位置近傍、２７０°の位置近傍と言った如く、複数の位置でのみ、キャップ本体部１１とピストンロッド体１２とが、薄肉部１３を介して、繋がっている。勿論、キャップ本体部１１とピストンロッド体１２とは全周に亘って繋がっていても良い。しかしながら、部分的にのみ繋がったものとしたので、キャップ本体部１１とピストンロッド体１２とを分離する際、連結薄肉部１３を切断する時の力が小さくても済む。このような構造（形状）のキャップ体１０は、樹脂を用いた適宜な成型手段で、簡単に得られる。
【００３１】
キャップ本体部１１は、図１，２から明白な通り、容器本体１のリブ部６に掛止する掛止部１４を有する。すなわち、キャップ体１０を容器本体１の開口状後端部５に配設した場合、掛止部１４がリブ部６に掛止し、キャップ体１０は自然には取り外れない。但し、リブ部６と掛止部１４とによるキャップ体１０のロック力よりも大きな力をキャップ体１０に作用させたならば、勿論、容器本体１からキャップ体１０を取り外すことが出来る。従って、容器本体１の開口状後端部５の口径は大口径であるから、キャップ体１０が取り外されたならば、この大口径の開口状後端部５から容器本体１内に各種の薬液を簡単に充填できる。
【００３２】
キャップ本体部１１とピストンロッド体１２とを連結している薄肉部１３は、ピストンロッド体１２の先端部（筒状部２の内壁に摺接するピストンロッド体１２の先端部）１５から所定距離だけ後方の位置に設けられている。すなわち、キャップ体１０を容器本体１の開口状後端部５に配設し、リブ部６と掛止部１４とによるロックが掛かった状態においては、ピストンロッド体１２の先端部１５が容器本体１の筒状部２ｂに内接するよう構成されている。ピストンロッド体１２の先端部１５が容器本体１の筒状部２ｂに内接しているから、筒状部２ｂ内に充填されている薬液が容器本体１の開口状後端部５から漏れ出ることが無い。特に、薄肉部１３にスリット（孔）が形成されていても、このスリット（孔）の箇所に薬液が漏れ出ることが無い。かつ、ピストンロッド体１２の後端に押圧力を作用させ、ピストンロッド体１２を筒状部２内に押し込もうとした場合、ピストンロッド体１２の先端部１５の側壁が筒状部２ｂの内壁に内接（摺接）しているから、ピストンロッド体１２の進行方向がガイドされていることになる。従って、ピストンロッド体１２の動作がスムーズである。そして、これ以後のピストンロッド体１２の進行に際しては、連結薄肉部１３の内縁部がピストンロッド体１２の外周壁に当接している。従って、ピストンロッド体１２の動作（進行）時、連結薄肉部１３の内縁部とピストンロッド体１２とが接触しており、かつ、ピストンロッド体１２の先端部１５の側壁が筒状部２ｂの内壁に内接（摺接）している。すなわち、ピストンロッド体１２の軸芯方向（移動方向）において、ピストンロッド体１２は軸芯方向において異なる二箇所（複数個所）で常に規制されている。従って、ピストンロッド体１２の移動に際して、ピストンロッド体１２が傾き難い。
【００３３】
ピストンロッド体１２の平面視（視線方向がピストンロッド体１２の軸芯方向）において、ピストンロッド体１２はキャップ本体部１１の中央に位置するよう設けられている。
【００３４】
ピストンロッド体１２の平面視（視線方向がピストンロッド体１２の軸芯方向）において、キャップ本体部１１とピストンロッド体１２とを連結している薄肉部１３は、容器本体１の筒状部２ｂの内径よりも内側の位置に存するように構成されている。すなわち、（薄肉部１３に繋がるピストンロッド体１２の外径（薄肉部１３の内径））＜（筒状部２ｂの内径）が満足されるよう構成されている。これによって、薄肉部１３の切断によって、薄肉部１３の周縁部に凹凸（ギザギザ）が出来ても、大きな問題が起きない。
【００３５】
容器本体１の筒状部２の内壁に摺接するピストンロッド体１２の先端部１５は、外側に拡開状の立設壁１６を有する。ここで、外側に拡開状の立設壁１６に向っての圧力が作用すると、立設壁１６は更に外側に拡がるように開くものとなる。従って、立設壁１６は、益々、容器本体１の筒状部２の内壁に摺接する。そして、筒状部２内の薬液が確実に押し出されるようになる。
【符号の説明】
【００３６】
１      容器本体
２ｂ    筒状部
３      凸状先端部
４      貫通孔
５      開口状後端部
６      リブ部
１０    キャップ体
１１    キャップ本体部
１２    ピストンロッド体
１３    薄肉部
１４    掛止部
１５    ピストンロッド体先端部
１６    外側拡開状立設壁
【図１】
2012016442.tif 000003
【図２】
2012016442.tif 000004